(57)【要約】  蒸気発生器（３）を備えた水蒸気（２）を用いて頭髪を処置するための器具（１）であって、水蒸気（２）は、主にプラスチック（４）から成る既存の混合チャンバ（５）内へ流れ込み、冷たく乾燥した周囲空気（６）が付加され、該空気はファン（７）によって注入され、それにより、結果として周囲空気（６）と水蒸気（２）の混合物が得られ、前記蒸気／空気混合物（８）が混合チャンバ（５）から流れ出て、複数の排出開口部（１０）を有する三日月形に成形された蒸気ノズル（９）内へ流れ込み、排出開口部（１０）から水蒸気（２）が出て完全に分配され、蒸気ノズル（９）は、プレキシグラスドーム（１１）内に配置される器具。高電圧発生器を用いて電界を生成するため、鋭端な電極（１４）が、混合チャンバ５内へ延伸し、対となる電極１６は、混合チャンバ５の対向する外側１５上に配置され、それによりイオン化された蒸気／空気混合物３２が任意に生成可能になる（図１）。高電圧発生器を用いて電界を生成するため、鋭端な電極（１４）が、混合チャンバ５内へ延伸し、対となる電極１６は、混合チャンバ５の対向する外側１５上に配置され、それによりイオン化された蒸気／空気混合物３２が任意に生成可能になる（図１）。
2008532708.tif 000002
【特許請求の範囲】
【請求項１】
蒸気発生器（３）を備えた水蒸気（２）を用いて頭髪を処置するための器具（１）であって、
前記水蒸気（２）は、主にプラスチック（４）から成る既存の混合チャンバ（５）内へ流れ込み、
冷たく乾燥した周囲空気（６）が付加され、
前記空気はファン（７）によって注入され、
それにより、結果として周囲空気（６）と水蒸気（２）との混合物が得られ、
前記蒸気／空気混合物（８）が前記混合チャンバ（５）から流れ出て、複数の排出開口部（１０）を有する三日月形に成形された蒸気ノズル（９）内へ流れ込み、
前記排出開口部（１０）から前記水蒸気（２）が出て完全に分配され、
前記蒸気ノズル（９）は、プレキシグラスドーム（１１）内に配置され、
高電圧発生器を用いて電界（１２）を生成するため、鋭端な電極（１４）が前記混合チャンバ（５）へ延伸し、対となる電極（１６）が混合チャンバ（５）の対向する外側（１５）上に配置される器具。
【請求項２】
前記対となる電極（１６）は、小さな金属板（１７）から成る、請求項１に記載の器具。
【請求項３】
前記電極（１４）及び前記対となる電極（１６）は、ステンレス鋼（１８）から成る、請求項１に記載の器具。
【請求項４】
前記電極（１４）は、先端部（２０）を有したピン（１９）の形態として設計される、請求項１に記載の器具。
【請求項５】
前記先端部（２０）は、約３２度の角度（α）を有する、請求項４に記載の器具。
【請求項６】
前記電極（１４）は、陰極（２１）として具体化され、前記対となる電極（１６）は、陽極（２２）として具体化される、請求項１に記載の器具。
【請求項７】
前記電極（１４）と前記対となる電極（１６）との間に約５ｋＶのＤＣ電圧（Ｖ）がある、請求項１に記載の器具。
【請求項８】
前記ＤＣ電圧（Ｖ）は、任意により装置（２４）によってパルス化される、請求項７に記載の器具。
【請求項９】
前記ＤＣ電圧（Ｖ）の前記パルス化（２５）は、６０秒のスイッチオンと１５秒のスイッチオフから成る、請求項８に記載の器具。
【発明の詳細な説明】
【技術分野】
【０００１】
本発明は、請求項１の前文に記載された一般的なタイプの器具に関する。
【背景技術】
【０００２】
かかる器具は、例えば、本出願人のＤＥ１０３２４１１７Ａ１及びＤＥ１０３２６９７９Ａ１から既知である。こうした器具は、薬剤で処理された頭髪の水蒸気処置を可能にし、処置中、頭髪一体に水蒸気の分配さえも確実にする。移動可能、補充可能な湯沸しを給水のために用意する。さらに、処置時間、蒸気濃度、及び温度が制御される。
【発明の開示】
【発明が解決しようとする課題】
【０００３】
本発明は、容易な手段によって蒸気の質に影響を及ぼし得る一般的な同等な器具を得ることを目的とする。
【課題を解決するための手段】
【０００４】
本課題は、請求項１に記載の、際立った構成要素の特性により達成される。この過程において頭髪を処置するため生成されるイオン化された水蒸気は、事前に薬剤（例えば、コンディショニング、パーマ、カラーリング、又はスタイリング剤）で処理された頭髪に好ましい影響を与える。従属請求項の結果として、本発明の付加的かつ有利な展開／実施形態が得られる。
【発明を実施するための最良の形態】
【０００５】
図１は、蒸気発生器３を備えた水蒸気２を用いて頭髪を処置するための器具であって、水蒸気２は、主にプラスチック４から成る既存の混合チャンバ５内へ流れ込み、冷たく乾燥した周囲空気６が付加され、該空気はファン７によって注入され、それにより、結果として周囲空気６と水蒸気２との混合物が得られ、前記蒸気／空気混合物８が混合チャンバ５から流れ出て、複数の排出開口部１０を有する三日月形に成形された蒸気ノズル９内へ流れ込み、排出開口部１０から水蒸気２及び／又は水蒸気／空気混合物８が出て完全に分配される、器具の概略図を示す。蒸気ノズル９は、プレキシグラスドーム１１内に配置される。高電圧発生器１３を用いて電界１２を生成するため、鋭端な電極１４が、混合チャンバ５内へ延伸し、対となる電極１６が混合チャンバ５の対向する外側１５上に配置され、それによりイオン化された蒸気／空気混合物３２が任意に生成される。
【０００６】
蒸気発生器３は、水２７で満たされた湯沸し２６から成る。水蒸気２を生成するため、湯沸し２６は、電気加熱ユニット２８を有する。
【０００７】
電極１４は、先端部２０を有するピン１９の様に設計され、好ましくはステンレス鋼１８から成る。先端部２０は、約３２度の角度（α）を有する（図３及び４）。電極１４は、陰極２１として具体化され、対となる電極１６は、陽極２２として具体化される。対となる電極１６は、小さな金属板１７から、好ましくはステンレス鋼から成る。
【０００８】
電極１４と対となる電極１６との間に約５ｋＶのＤＣ電圧（Ｖ）がある。ＤＣ電圧（Ｖ）は、装置２４によって任意にパルス化される。ＤＣ電圧（Ｖ）のパルス化２５は、６０秒のスイッチオンと１５秒のスイッチオフから成り、装置２４は、マイクロプロセッサ２９によってプログラム制御される。
【０００９】
水２７は、電気加熱ユニット２８を用いて湯沸し２６内で蒸気へと変換する。湯沸し２６は、器具１から取り出して補充できる。
【００１０】
飽和状態になると、熱い水蒸気２が混合チャンバ５内へと流れ込む。この時点で、冷たく乾燥した周囲空気６が付加され、ファン７によって周囲空気が注入される。結果として周囲空気６と水蒸気２との混合物が得られ、結果として、水蒸気２の温度が低下することになる。このことは、処置を受けている人が、処置の間、過度に高い蒸気温度に全くさらされることがないようにするために必要である。
【００１１】
続いて、蒸気／空気混合物８が混合チャンバ５から流れ出て、複数の排出開口部１０を有する三日月形に成形された蒸気ノズル９内へ流れ込む。蒸気／空気混合物８は、蒸気ノズル９から出て、完全に分配される。
【００１２】
図２は、湯沸し２６を閉めることになる蓋４５を備えた器具１の全体を示す。蒸気ノズル９は、プレキシグラスドーム１１内に配置され、処置中、人の周囲に据えられる。処置時間及び蒸気温度は、器具１上の制御パネル３０を用いて設定することができる。蒸気温度は、電気加熱ユニット２８からの電気を加熱することによって制御される。混合チャンバ５は、対応する温度センサ３１を含み、さらにマイクロプロセッサ２９に対応する。接続ジャーナル４６が、器具１に支持を提供する三脚スタンド（図示せず）上に設けられる。器具１には、主電源４７を経由して電流が供給される。
【００１３】
蒸気イオン化装置に関する付加的説明：
混合チャンバ５は、好適な場所に、マイナスの高電圧が通される薄い金属の先端部１９を含み、その金属先端部１９は、外側から混合チャンバ５内へ挿入される。混合チャンバ５の外に設置されるコンタクト３８が電気的に接触するために使用される。蒸気の流れには内部構成要素がある。対となる電極１６（ステンレス鋼１８から成る小さく薄い金属板１７）は、反対側になる、混合チャンバ５の外側１５上に、電気的にプラスの電極（陽極２２）として配置される。
【００１４】
蒸気エリア４３の外側に対となる電極１６を設けることで、混合チャンバ５内の湿った空気中の電極１４と電極１６との間に生じる導通接続を防ぎ、結果として、電圧（Ｖ）が放電するのを有利に防ぐ。
【００１５】
電極１４と電極１６の間には静的な電界１２が形成され、先端部２０のエリアで磁界強度が比較的高くなる。空気６の空気分子は、この領域を流れることによってイオン化される。イオン化された空気分子は、続いて、得られた蒸気の滴を電荷し、これが、イオン化された蒸気／空気混合物３２として、蒸気ノズル９内へ流れ込み、排出開口部１０を経由して頭髪を蒸気処置するために利用可能になる。
【００１６】
マイナスの電圧は、高電圧発生器１３によって生成される。
【００１７】
発生器１３は、電源の交流電圧から約−５ｋＶのマイナスのＤＣ電圧を生成する。装置２４は、電源電圧を高電圧発生器１３に切り替える。装置２４は、図１の既存のマイクロプロセッサ２９によって制御される。本態様では、プログラム制御を用いて高電圧を活性化することが可能である。
【００１８】
蒸気イオン化が活性化されると、高電圧（Ｖ）がパルス動作に制御される。連続したパルス化は、６０秒の高電圧（Ｖ）オンと１５秒の高電圧（Ｖ）オフから成る。スイッチをオフにすることで、電荷キャリア数を制限し、それにより１５秒以内に、例えば蒸気８が流れ出ることにより、電荷の一部が緩和され得る。予め設定されたパルス比６０秒／１５秒は、必要に応じて変更できる。ユーザは、器具１上でイオン化のオン／オフを切り替えることができる。
【００１９】
本発明により、現在では、蒸気イオン化を選択することで容易な手段により、既存の器具１を改良することが可能である。水蒸気２は、運転中、連続的に又は任意にパルス２５にイオン化することができる。このことは、蒸気のイオン化なしで機能する従来技術による器具、若しくは水蒸気又は乾燥したイオン化された空気が交互に放出される器具とは異なる。
【００２０】
図３及び４は、陰極２１を示す。蒸気２内に設置される先端部２０は、約３２度の角度αを有し、好ましくはステンレス鋼から成る。環３３は、陰極２１を混合チャンバ５内に取り付けて封止するために設けられる。コンタクト３５は、高電圧ケーブル３４（図１）に接触するために設けられる。
【００２１】
図５は、好ましくはステンレス鋼と約２５ｍｍ（１０インチ）×１０ｍｍ（０．３９インチ）の電極面３６から成る、陰極２２を示す。
【００２２】
コンタクト３８は、別のケーブル３７（図１）に接触するために設けられる。孔３９は、混合チャンバ５を取り付けるために使用される。
【００２３】
７〜１１は、ポリエチレンから作製された射出成型部分から好ましくは成る、混合チャンバ５のさまざまな図を示す。混合チャンバ５は、蒸気入口４０と、周囲空気入口４１と、蒸気／空気混合物８、３２用出口４２とを有する。陰極２１の先端部２０と陽極２２との間の距離ａは、約２６ｍｍ（１．０２インチ）であり、陰極２１は、約６．５ｍｍ（０．２６インチ）の深さｂまで蒸気エリア４３内へ延伸する。陰極２１の先端部２０と混合チャンバ４４の内壁（高い磁界密度を有する経路）との間の距離ｃは、約１５．５ｍｍ（０．６１インチ）である。
【００２４】
図１２は、混合チャンバ５の原理を表わした図であり、この場合、周囲空気６、水蒸気３、及び蒸気／空気８のパターンがさらに詳細に示される。ガイド壁４８は、周囲空気６及び水蒸気３を混成するために設けられる。
【００２５】
参照符号リスト
１  器具
２  水蒸気
３  蒸気発生器
４  プラスチック
５  混合チャンバ
６  周囲空気
７  ファン
８  蒸気／空気混合物
９  蒸気ノズル
１０  排出開口部
１１  プレキシグラスドーム
１２  電界
１３  高電圧発生器
１４  電極
１５  混合チャンバ５の外側
１６  対となる電極
１７  金属板
１８  ステンレス鋼
１９  ピン
２０  先端部
２１  陰極
２２  陽極
２３  −
２４  装置
２５  パルス化
２６  湯沸し
２７  水
２８  電気加熱ユニット
２９  マイクロプロセッサ
３０  制御パネル
３１  温度センサ
３２  イオン化された蒸気／空気混合物
３３  環
３４  第１高圧ケーブル
３５  コンタクト
３６  電極面
３７  第２高圧ケーブル
３８  コンタクト
３９  孔
４０  蒸気入口
４１  空気入口
４２  蒸気／空気混合物出口
４３  蒸気エリア
４４  混合チャンバの内壁
４５  蓋
４６  接続ジャーナル
４７  電力線
４８  ガイド壁
ａ  距離
ｂ  深さ
ｃ  距離
Ｖ  ＤＣ電圧
α  先端部２０の角度
【００２６】
本発明は、代表的な実施形態を使ってさらに詳細に説明される。
【００２７】
以下を図示する。
【図面の簡単な説明】
【００２８】
【図１】器具の概略図。
【図２】器具全体を示す側面図。
【図３】電極を拡大して見た側面図。
【図４】図３による電極を示す斜視図。
【図５】対となる電極の展開を上から見た平面図。
【図６】図５による対となる電極を示す側面図。
【図７】混合チャンバを示す概略図。
【図８】図７による混合チャンバのさまざまな図であって、図８は、図１０による一断面（ＶＩＩＩ―ＶＩＩＩ）を強調している図。
【図９】図７による混合チャンバのさまざまな図であって、図８は、図１０による一断面（ＶＩＩＩ―ＶＩＩＩ）を強調している図。
【図１０】図７による混合チャンバのさまざまな図であって、図８は、図１０による一断面（ＶＩＩＩ―ＶＩＩＩ）を強調した図。
【図１１】図７〜１０による混合チャンバを示した斜視図。
【図１２】混合チャンバの原理を示す図。
【図１】
2008532708.tif 000003
【図２】
2008532708.tif 000004
【図３】
2008532708.tif 000005
【図４】
2008532708.tif 000006
【図５】
2008532708.tif 000007
【図６】
2008532708.tif 000008
【図７】
2008532708.tif 000009
【図８】
2008532708.tif 000010
【図９】
2008532708.tif 000011
【図１０】
2008532708.tif 000012
【図１１】
2008532708.tif 000013
【図１２】
2008532708.tif 000014
【国際調査報告】
2008532708.tif 000015
2008532708.tif 000016
2008532708.tif 000017